(57)【要約】【課題】  複数の設定項目を有する複数種の動作モードを備えていても、ユーザが直感的に設定内容の変更方法を理解できるようにする。【解決手段】  デジタルカメラ１は、その背面のほぼ全面にわたりワイド表示に対応したアスペクト比を有する矩形の表示部９、及び、この表示部９の長辺部分に沿って、再生モードキー５、静止画撮影モードキー６、及び、動画撮影モードキー７からなる各ハードキーが並んで配置される。また表示部８の表示面に透明のタッチパネル９が設けられ、指等を接触させると、この接触した位置座標を出力する。そして、再生モードキー５、静止画撮影モードキー６、及び、動画撮影モードキー７の何れかのモードキーの押圧操作を検出すると、現在の動作モードを維持した状態でそのモードキーがある位置に対応する列に、このモードキーに対応する動作モードにおいて設定可能な項目をアイコン化したプルダウンメニューを表示する。【選択図】      図５
2010187042.tif 000002
【特許請求の範囲】
【請求項１】
複数種の動作モードを有する電子機器において、
矩形形状の表示部と、
この表示部の一辺に、この一辺に沿うように並べて配置され、各々が前記複数種の動作モードの何れかを指定する複数のキーと、
前記複数のキーの何れかが操作されたことを検出する操作検出手段と、
この操作検出手段によって前記複数のキーの何れかが操作されたことを検出すると、このキーに割り当てられた動作モードにおける複数の設定項目を、当該キーの位置に沿って並べて表示するよう前記表示部を制御する表示制御手段と、
この表示制御手段によって表示された複数の設定項目のうち、何れかが指定されたか否かを判断する判断手段と、
この判断手段によって指定されたと判断された設定内容を制御する制御手段と、
を備えたことを特徴とする電子機器。
【請求項２】
前記表示部の表示画面におけるユーザが接触した位置を検出する位置検出手段を更に備え、
前記判断手段は、この位置検出段によって検出された位置に基づいて、前記複数の設定項目のうち、何れかが指定されたか否かを判断することを特徴とする請求項１に記載の電子機器。
【請求項３】
撮像部を更に備え、
前記設定項目とは、前記撮像部による撮像処理に関するものであることを特徴とする請求項１又は２に記載の電子機器。
【請求項４】
前記表示部に表示すべきデータを記憶する記憶部を更に備え、
前記設定項目とは、前記記憶部に記憶されたデータを前記表示部に表示した際の表示処理に関するものであることを特徴とする請求項１乃至３の何れかに記載の電子機器。
【発明の詳細な説明】
【技術分野】
【０００１】
本発明は、複数種の動作モードを有する電子機器に関する。
【背景技術】
【０００２】
従来の電子機器、特にデジタルカメラでは、サイズ、画質、及び、ホワイトバランス等、撮像処理に関し様々な設定ができるようになっている。また近年では、高機能化に伴い、これらの設定内容が多数備えられ、ユーザはこれらの設定内容を逐次変更することにより所望の設定内容で撮像することができる。また、近年のデジタルカメラには、撮像された画像について再生／編集が可能なものも存在し、これらの操作については対応する動作モードを当該デジタルカメラに設定することにより可能なものとしている。
このような設定内容の変更に関しては、ユーザにとって変更操作が煩雑なものにならないよう、様々な操作方法が考案されている。例えば、上下左右方向に操作可能な操作部材（マルチセレクター）を備え、ユーザーがこの操作部材を操作するとその操作方向に従って表示部に設定メニューを表示させ、また、現在設定中の内容の変更を行う方法が考案されている（例えば、特許文献１参照）。
【先行技術文献】
【特許文献】
【０００３】
【特許文献１】特開２００３−２３００４８号公報
【発明の概要】
【発明が解決しようとする課題】
【０００４】
しかしながら、上記特許文献１などに開示された技術の場合、ユーザがストレスを感じることなく設定の変更を行うには、ある程度その操作方法を熟知する必要がある。換言すれば入手間も無いユーザや初心者が、設定内容の変更を行う場合は、上記の操作方法は直感的で無く、理解し辛いという問題があった。
【０００５】
本発明は、上記に鑑みたものであり、複数の設定項目を有する複数種の動作モードを備えていても、ユーザが直感的に設定内容の変更方法を理解できるようにすることを目的とする。
【課題を解決するための手段】
【０００６】
上記課題を解決するために、請求項１に記載の発明は、複数種の動作モードを有する電子機器において、矩形形状の表示部と、この表示部の一辺に、この一辺に沿うように並べて配置され、各々が前記複数種の動作モードの何れかを指定する複数のキーと、前記複数のキーの何れかが操作されたことを検出する操作検出手段と、この操作検出手段によって前記複数のキーの何れかが操作されたことを検出すると、このキーに割り当てられた動作モードにおける複数の設定項目を、当該キーの位置に沿って並べて表示するよう前記表示部を制御する表示制御手段と、この表示制御手段によって表示された複数の設定項目のうち、何れかが指定されたか否かを判断する判断手段と、この判断手段によって指定されたと判断された設定内容を制御する制御手段と、を備えたことを特徴とする。
【０００７】
また請求項２記載の発明は、上記請求項１記載の発明において、前記表示部の表示画面におけるユーザが接触した位置を検出する位置検出手段を更に備え、前記判断手段は、この位置検出段によって検出された位置に基づいて、前記複数の設定項目のうち、何れかが指定されたか否かを判断することを特徴とする。
【０００８】
また請求項３記載の発明は、上記請求項１又は２に記載の発明において、撮像部を更に備え、前記設定項目とは、前記撮像部による撮像処理に関するものであることを特徴とする。
【０００９】
また請求項４記載の発明は、上記請求項１乃至３の何れかに記載の発明において、前記表示部に表示すべきデータを記憶する記憶部を更に備え、前記設定項目とは、前記記憶部に記憶されたデータを前記表示部に表示した際の表示処理に関するものであることを特徴とする。
【発明の効果】
【００１０】
本発明によれば、複数の設定項目を有する複数種の動作モードを備えていても、ユーザが直感的に設定内容の変更方法を理解できる。
【図面の簡単な説明】
【００１１】
【図１】本発明を適用したデジタルカメラの外観図を示す図であり、（Ａ）は正面図、（Ｂ）は背面図である。
【図２】デジタルカメラの回路構成を示す図である。
【図３】（Ａ）は表示部の座標位置を示す図であり、（Ｂ）〜（Ｄ）は予め設定されている各動作モードにおける設定メニューの表示レイアウトを示す図である。
【図４】デジタルカメラの動作を示すフローチャートである。
【図５】表示例を示す図であり、（Ａ）は再生モードにおける設定メニューの表示例、（Ｂ）は静止画撮影モードにおける設定メニューの表示例、（Ｃ）は動画撮影モードにおける設定メニューの表示例を示すものである。
【発明を実施するための形態】
【００１２】
図１は、本発明を適用したデジタルカメラ（電子機器）１の外観図を示す図であり、（Ａ）は正面図、（Ｂ）は背面図である。
図１（Ａ）にて図示するように、このデジタルカメラ１は、その正面にレンズ２を、上面に電源キー２、シャッターキー３を備える。
【００１３】
また、図１（Ｂ）にて図示するように、背面には、そのほぼ全面にわたりワイド表示に対応したアスペクト比を有する矩形の表示部９を備え、更に、この表示部９の長辺部分に沿って、再生モードキー５、静止画撮影モードキー６、及び、動画撮影モードキー７からなる押圧操作を検出する各モードキーが並んで配置される。また表示部９の表示面全面に透明のタッチパネル８が設けられ、ユーザが指等を接触させると、この接触した位置座標を出力する。
【００１４】
図２はデジタルカメラ１の回路構成を示す図である。同図において、デジタルカメラ１は、上述のレンズ２と、表示部９と、タッチパネル８と、電源キー３、シャッターキー４、再生モードキー５、静止画撮影モードキー６、及び、動画撮影モードキー７からなるキー入力部１２の他、撮像部１０、画像処理部１１、制御部１３、プログラムメモリ１４、ワークメモリ１５、画像メモリ１６、電源１７、電源制御部１８を備え、表示部８、タッチパネル９、撮像部１０、画像処理部１１、キー入力部１２、制御部１３、プログラムメモリ１４、ワークメモリ１５、画像メモリ１６はバスＢを介して接続されている。
【００１５】
撮像部１０は、ＣＣＤやＣＭＯＳ等の撮像デバイス、及び、これら撮像デバイスを駆動制御するドライバ等からなり、撮像素子に蓄積された電荷を所定周期で掃き出し、画像処理部１１に出力する。画像処理部１１はアナログ情報である電荷をデジタルデータに変換しノイズ除去処理等を行ってバスＢに出力する。キー入力部１２は、デジタルカメラ１全体が電源オフの状態であっても常時電源が供給され、電源キー３、シャッターキー４、再生モードキー５、静止画撮影モードキー６、及び、動画撮影モードキー７に対し押圧操作されたか否かの情報、押圧操作された場合にはその操作が維持された時間に関する情報をバスＢを介して制御部１３に出力する機能を備える。制御部１３は、デジタルカメラ１全体を制御する他、プログラムメモリ１４に格納されたプログラムをロードすることにより各動作モードにおける設定内容に沿った処理や、設定内容の変更に伴う処理を実行する。
【００１６】
また、静止画撮影モード、動画撮影モードにおいては、画像処理部１１より出力された画像データを圧縮符号化処理し、画像ファイルを生成して画像メモリ１６に格納するとともに、再生モードにおいては画像メモリ１６から読み出された画像ファイル（動画も含む）を復号処理し、表示部９に出力する。
プログラムメモリ１４は、デジタルカメラ１にて実行される撮像処理、及び、再生処理に関するプログラムの他、ロードされ制御部１３にて実行する本発明に係るプログラムを記憶する記憶部である。
【００１７】
また、このプログラムメモリ１４には、図３（Ａ）に示す表示部の座標位置に関する情報、より具体的には、図１（Ｂ）に図示した表示部９の長辺付近において、再生モードキー５が位置する列の座標情報（図３（Ａ）において破線９Ａで示した列の各座標情報）、図１（Ｂ）に図示した表示部９の長辺付近において、静止画撮影モードキー６が位置する列の座標情報（図３（Ａ）において破線９Ｂで示した列の各座標情報）、及び、図１（Ｂ）に図示した表示部９の長辺付近において、動画撮影モードキー７が位置する列の座標情報（図３（Ａ）において破線９Ｃで示した列の各座標情報）を記憶する。
【００１８】
また、上記９Ａで図示した列に表示すべきプルダウンメニューとして図３（Ｂ）に図示する、設定項目「スライド」、「編集」、「プロテクト」、「回転」が表記されたアイコンとその表示位置（ユーザの指等の接触によって検出範囲）とを記憶する。
更に、上記９Ｂで図示した列に表示すべきプルダウンメニューとして図３（Ｃ）に図示する、設定項目「サイズ／画質」、「ＡＦ」、「連写」、「タイマー」が表記されたアイコンとその表示位置（ユーザの指等の接触によって検出範囲）とを記憶する。
また、上記９Ｃで図示した列に表示すべきプルダウンメニューとして図３（Ｄ）に図示する、設定項目「サイズ／画質」、「手ブレ、「ＷＢ」、「ＥＶ」が表記されたアイコンとその表示位置（ユーザの指等の接触によって検出範囲）とを記憶する。
【００１９】
ワークメモリ１５は、制御部１３による制御の過程において生成されたデータを一時的に記憶する作業メモリとしての機能を有する。画像メモリ１６は、上記圧縮符号化され生成された画像ファイルを複数格納する機能を有する。
電源１７は電源制御部１８からの制御に基づいてデジタルカメラ１全体に対し電源を供給する。
【００２０】
図４は、デジタルカメラ１が行う動作例を示すフローチャートである。
先ず、制御部１３は、キー入力部１２から出力される情報に基づいて、再生モードキー５、静止画撮影モードキー６、及び、動画撮影モードキー７の何れかのモードキーの押圧操作を検出したか否かを判断する（ステップＳ１）。これらのモードキーについて押圧操作を検出しなかった場合は当該判断を繰り返すが、再生モードキー５、静止画撮影モードキー６、及び、動画撮影モードキー７の何れかのモードキーの押圧操作を検出したと判断した場合は（ステップＳ１でＹｅｓ）、更に現在、デジタルカメラ１が電源オフ状態（詳細には、再生モード、静止画撮影モード、及び、動画撮影モードの何れも動作していない状態）か否かを判断する（ステップＳ２）。
【００２１】
電源オフ状態である場合（ステップＳ２でＹｅｓ）、電源オン状態にするととともに、押圧操作されたモードキーに対応する動作モードに移行するが（ステップＳ３）、電源オフ状態でない場合、すなわち、再生モード、静止画撮影モード、動画撮影モードの何れかのモードで動作している場合には（ステップＳ２でＮｏ）、更に所定時間、その押圧操作が維持されたか否かを判断する（ステップＳ４）。そして、所定時間押圧操作が維持されたと判断すると、電源オフ状態に移行させる（ステップＳ４でＹｅｓ、ステップＳ５）。一方、所定時間押圧操作されなかったと判断すると（ステップＳ４でＮｏ）、現在の動作モードを維持した状態でそのモードキーがある位置に対応する列に、このモードキーに対応する動作モードにおいて設定可能な項目をアイコン化して並べたプルダウンメニューを表示する（ステップＳ６）。
【００２２】
図５は上記ステップＳ５における表示例を示すものであり、図５（Ａ）は再生モードキー５に対する押圧操作を検出した場合の表示例、図５（Ｂ）は静止画撮影モードキー６に対する押圧操作を検出した場合の表示例、図５（Ｃ）は動画撮影モードキー７に対する押圧操作を検出した場合の表示例を夫々示す。
【００２３】
図５（Ａ）に図示するように、再生モードキー５への押圧操作を検出した場合、図３（Ａ）の表示部９の９Ａの列に、図３（Ｂ）に示した「スライド」アイコン５１、「編集」アイコン５２、「プロテクト」アイコン５３、「回転」アイコン５４からなるプルダウンメニュー５０が表示される。また、図５（Ｂ）に図示するように、静止画撮影モードキー６への押圧操作を検出した場合、図３（Ａ）の表示部９の９Ｂの列に、図３（Ｃ）に示した「サイズ／画質」アイコン６１、「ＡＦ」アイコン６２、「連写」アイコン６３、「タイマー」アイコン６４からなるプルダウンメニュー６０が表示される。更に、図５（Ｃ）に図示するように、動画撮影モードキー７への押圧操作を検出した場合、図３（Ａ）の表示部９の９Ｃの列に、図３（Ｄ）に示した「サイズ／画質」アイコン７１、「手ブレ」アイコン７２、「ＷＢ」アイコン７３、「ＥＶ」アイコン７４からなるプルダウンメニュー７０が表示される。
【００２４】
そしてステップＳ６にて、プルダウンメニューが表示されている状態において、タッチパネル８におけるユーザの指等の接触位置を判断することにより、このプルダウンメニューにアイコンとして表示された何れかの設定項目への指定検出の有無を判断する（ステップＳ７）。
ステップＳ７の判断において何れかの設定項目への指定検出が無かった場合は（ステップＳ７でＮｏ）、更にこのプルダウンメニューの表示開始から一定時間が経過したか否かを判断する（ステップＳ８）。そして一定時間が経過していないうちは（ステップＳ８でＮｏ）、ステップＳ７の処理に戻る一方、一定時間が経過すると（ステップＳ８でＹｅｓ）、今回のモードキーの押圧操作を誤操作と判断して本処理を終了させる。
【００２５】
また、ステップＳ７の判断において何れかの設定項目への指定検出が有った場合は（ステップＳ７でＹｅｓ）、検出された指定位置（接触位置）に対応するアイコンに表記された設定項目の設定メニューを表示し（ステップＳ９）、さらにモードキー（再生モードキー５、静止画撮影モードキー６、及び、動画撮影モードキー７）以外の、主としてタッチパネル８に対する操作を検出することにより、設定内容の変更・保存処理を行う（ステップＳ１０）。
【００２６】
例えば、ユーザが静止画撮影モードキー６を押圧操作して、そのモードキーの位置に対応する列に「サイズ／画質」アイコン６１、「ＡＦ」アイコン６２、「連写」アイコン６３、「タイマー」アイコン６４からなるプルダウンメニュー６０が表示された状態において、一定時間内に更に「ＡＦ」アイコン６２に対する接触を検出すると、合焦方法として「ＡＦ」（オートフォーカス）、「ＭＦ」（マニュアルフォーカス）、「ＰＦ」（パンフォーカス）、「∞」の何れかの設定を促す画面が表示され、タッチパネルへの接触検出、若しくは、接触の奇跡によるジェスチャー検出によりユーザの所望する合焦方法が設定される。
【００２７】
この後、モードキー（再生モードキー５、静止画撮影モードキー６、及び、動画撮影モードキー７）の何れかの操作の検出有無を判断し（ステップＳ１１）、検出しない場合は（ステップＳ１１でＮｏ）、ステップ１０の処理に戻る一方、検出した場合は本処理を終了する。
したがって、上記実施形態のようなユーザーインターフェイス、及び、その操作表示方法を提供することにより、複数種の動作モードを備える電子機器において、各動作モードにおける設定内容を変更する場合であってもユーザは直感的に設定内容を変更したい動作モード、及び、変更したい設定項目を呼び出すことができる。
【符号の説明】
【００２８】
１      デジタルカメラ
２      レンズ
３      電源キー
５      再生モードキー
６      静止画撮影モードキー
７      動画撮影モードキー
８      タッチパネル
９      表示部
１０    撮像部
１２    キー入力部
１３    制御部
１４    プログラムメモリ
１６    画像メモリ
１７    電源
１８    電源制御部
５０、６０、７０  プルダウンメニュー
【図１】
2010187042.tif 000003
【図２】
2010187042.tif 000004
【図３】
2010187042.tif 000005
【図４】
2010187042.tif 000006
【図５】
2010187042.tif 000007